(57)【特許請求の範囲】
【請求項１】
モバイル端末のテスト方法において、
モバイル端末が予め設定したトリガ条件が検出されると、予め設定した機器との接続を構築するステップと、
前記モバイル端末が自動検査プログラムを起動して、自動検査結果を取得するステップと、
前記モバイル端末が前記予め設定した機器に自動検査結果を送信するステップと
を含み、
前記モバイル端末が予め設定した機器に自動検査結果を送信するステップは、
前記モバイル端末が自動検査結果に基づいて、検査日誌を生成するステップと、
前記モバイル端末が前記予め設定した機器に前記検査日誌を送信するステップと
を含み、
前記予め設定した機器は、ネットワーク接続用機器を含み、
前記予め設定した機器がネットワーク接続用機器であると、前記モバイル端末が前記予め設定した機器に前記検査日誌を送信するステップは、
前記モバイル端末が前記ネットワーク接続用機器に前記検査日誌を送信し、前記ネットワーク接続用機器が前記検査日誌をテストホストコンピュータに転送するように前記ネットワーク接続用機器を指示するステップ
を含むことを特徴とするテスト方法。
【請求項２】
前記モバイル端末が前記予め設定したトリガ条件が検出されると、予め設定した機器との接続を構築するステップは、
前記モバイル端末が予め設定した入力操作情報が検出されると、予め設定した識別子及びパスワードに基づいて予め設定した機器との接続を構築するステップ
を含むことを特徴とする請求項１に記載のテスト方法。
【請求項３】
前記予め設定したトリガ条件とは、予め設定した識別子を有するネットワーク機器が検出されたことであり、
前記予め設定した機器は、前記予め設定した識別子を有するネットワーク機器を含み、
前記モバイル端末が前記予め設定したトリガ条件が検出されると、予め設定した機器との接続を構築するステップは、
前記モバイル端末がネットワーク中のネットワーク機器を検出するステップと、
前記モバイル端末が予め設定した識別子を有するネットワーク機器が検出されると、前記予め設定した識別子に対応する予め設定したパスワードに基づいて、前記予め設定した識別子を有するネットワーク機器に接続して、前記予め設定した識別子を有するネットワーク機器との接続を構築するステップと
を含むことを特徴とする請求項１に記載のテスト方法。
【請求項４】
前記予め設定した機器がネットワーク接続用機器であると、前記モバイル端末が前記予め設定した機器との接続を構築した後に、
前記方法は、
前記モバイル端末が前記ネットワーク接続用機器にウェークメッセージを送信して、前記ネットワーク接続用機器が前記ウェークメッセージを前記テストホストコンピュータへ転送するように指示することにより、前記テストホストコンピュータが前記ウェークメッセージに基づいて稼動状態になるようにするステップをさらに含み、
前記モバイル端末が前記ネットワーク接続用機器に前記検査日誌を送信し、前記ネットワーク接続用機器が前記検査日誌をテストホストコンピュータに転送するよう指示することは、
前記モバイル端末が前記ネットワーク接続用機器にウェークメッセージを送信した後に、前記ネットワーク接続用機器に前記検査日誌を送信し、前記ネットワーク接続用機器が前記検査日誌をテストホストコンピュータに転送するよう指示することを含む
ことを特徴とする請求項１に記載のテスト方法。
【請求項５】
モバイル端末に配置されるテスト装置において、
予め設定したトリガ条件が検出されると、予め設定した機器との接続を構築するための構築モジュールと、
自動検査プログラムを起動して、自動検査結果を取得するための処理モジュールと、
前記予め設定した機器に自動検査結果を送信するための第１送信モジュールと
を備え、
前記第１送信モジュールは、
自動検査結果に基づいて、検査日誌を生成するための生成サブモジュールと、
前記予め設定した機器に前記検査日誌を送信するための第１送信サブモジュールと
を備え、
前記予め設定した機器は、ネットワーク接続用機器を含み、
前記予め設定した機器がネットワーク接続用機器であると、前記第１送信モジュールは、
前記ネットワーク接続用機器に前記検査日誌を送信し、前記ネットワーク接続用機器が前記検査日誌をテストホストコンピュータに転送するように前記ネットワーク接続用機器を指示するための第２送信サブモジュールを備えることを特徴とするテスト装置。
【請求項６】
前記構築モジュールは、
予め設定した入力操作情報が検出されると、予め設定した識別子及びパスワードに基づいて予め設定した機器との接続を構築するための第１構築サブモジュール
を備えることを特徴とする請求項５に記載のテスト装置。
【請求項７】
前記予め設定したトリガ条件が検出されたことは、予め設定した識別子を有するネットワーク機器が検出されたことを含み、
前記予め設定した機器は、前記予め設定した識別子を有するネットワーク機器を含み、
前記構築モジュールは、
ネットワーク中のネットワーク機器を検出するための検出サブモジュールと、
予め設定した識別子を有するネットワーク機器が検出されると、前記予め設定した識別子に対応する予め設定したパスワードに基づいて、前記予め設定した識別子を有するネットワーク機器に接続して、前記予め設定した識別子を有するネットワーク機器との接続を構築するための第２構築サブモジュールと
を備えることを特徴とする請求項５に記載のテスト装置。
【請求項８】
前記ネットワーク接続用機器にウェークメッセージを送信して、前記ネットワーク接続用機器が前記ウェークメッセージを前記テストホストコンピュータへ転送するように指示することにより、前記テストホストコンピュータが前記ウェークメッセージに基づいて稼動状態になるようにするための第２送信モジュールをさらに備え、
前記第２送信サブモジュールは、さらに、前記ネットワーク接続用機器にウェークメッセージを送信した後に、前記ネットワーク接続用機器に前記検査日誌を送信し、前記ネットワーク接続用機器が前記検査日誌をテストホストコンピュータに転送するよう指示する
ことを特徴とする請求項５に記載のテスト装置。
【請求項９】
モバイル端末において、
プロセッサと、
前記プロセッサが実行可能な命令を記憶するためのメモリと
を備え、
前記プロセッサは、前記メモリに記憶されている命令を実行することにより、
予め設定したトリガ条件が検出されると、予め設定した機器との接続を構築するステップと、
自動検査プログラムを起動して、自動検査結果を取得するステップと、
前記予め設定した機器に自動検査結果を送信するステップと
を実現し、
前記予め設定した機器に自動検査結果を送信するステップは、
自動検査結果に基づいて、検査日誌を生成するステップと、
前記予め設定した機器に前記検査日誌を送信するステップと
を含み、
前記予め設定した機器は、ネットワーク接続用機器を含み、
前記予め設定した機器がネットワーク接続用機器であると、前記予め設定した機器に前記検査日誌を送信するステップは、
前記ネットワーク接続用機器に前記検査日誌を送信し、前記ネットワーク接続用機器が前記検査日誌をテストホストコンピュータに転送するように前記ネットワーク接続用機器を指示するステップ
を含むことを特徴とするモバイル端末。
【請求項１０】
モバイル端末のプロセッサに実行されることにより、前記モバイル端末を請求項１から請求項４のいずれか１項に記載のテスト方法を実現させることを特徴とするプログラム。
【請求項１１】
請求項１０に記載のプログラムが記録された記録媒体。
【発明の詳細な説明】
【相互参照】
【０００１】
本願は、出願番号がＣＮ２０１５１０４０６１３３．３であって、出願日が２０１５年７月１０日である中国特許出願に基づいて優先権を主張し、当該中国特許出願のすべての内容を援用する。
【技術分野】
【０００２】
本発明は、コンピュータ技術分野に関し、特に、端末テスト方法、装置、プログラム及び記録媒体に関する。
【背景技術】
【０００３】
コンピュータ技術及び無線通信技術の発展に伴い、電子機器に無線通信モジュールを幅広く利用している。例えば、スマートフォン、タブレットＰＣ、等は、すべて、無線通信の機能を有する。無線通信技術は、スマート端末、スマートホーム、等の分野に、幅広く応用されている。また、電子機器を工場出荷する時に、テスターは、工場出荷しようとする電子機器に対してハードウェア及びソフトウェアのテストを行うことにより、電子機器の正常な使用を保証する。
【発明の概要】
【０００４】
本発明の実施例は、端末テスト方法、装置、プログラム及び記録媒体を提供して、電子機器に対するテスト結果の記録を便利にする同時に、工場出荷する時の電子機器をテストする効率を高める。その構成は以下のとおりである。
【０００５】
本発明の実施例に係る第１の態様によると、被検査機器に用いられる端末テスト方法を提供する。
前記方法は、
予め設定したトリガ条件が検出されると、予め設定した機器との接続を構築するステップと、
自動検査プログラムを起動して、自動検査結果を取得するステップと、
前記予め設定した機器に自動検査結果を送信するステップと
を含む。
【０００６】
本発明の実施例が提供する構成の有益な効果は以下のとおりである。予め設定したトリガ条件に基づいて、予め設定した機器との接続を構築し、予め設定した機器と接続した後に、自動検査プログラムを起動して、自動検査結果を予め設定した機器に送信する。被検査機器を工場出荷する時に、被検査機器の自動検査プログラムを起動させる必要がある。従来に、自動検査プログラムを起動させる過程においては、テスターにより各々の被検査機器をそれぞれ手動的に起動しなければならないし、テスターにより大量の操作を行う必要がある。予め設定したトリガ条件を満たすと、被検査機器の自動検査プログラムを起動させることにより、被検査機器の自動検査プログラムの同時の起動が実現できて、工場出荷する時の被検査機器をテストする効率を高めた上で、被検査機器により同時に自動検査結果を予め設定した機器に送信することにより、被検査機器に対するテスト結果の記録が便利になった。
【０００７】
前記予め設定したトリガ条件が検出されると、予め設定した機器との接続を構築するステップは、予め設定した入力操作情報が検出されると、予め設定した識別子及びパスワードに基づいて予め設定した機器との接続を構築するステップを含む。
【０００８】
本発明の実施例が提供する構成の有益な効果は以下のとおりである。予め設定した入力操作情報が検出されると、予め設定した識別子及びパスワードに基づいて予め設定した機器と接続する。予め設定した入力操作情報を予め設定したトリガ条件にすることにより、テスターの操作が便利になって、工場出荷する時の被検査機器をテストする効率を高めた。
【０００９】
前記予め設定したトリガ条件が検出されたことは、
予め設定した識別子を有するネットワーク機器が検出されたことを含み、
前記予め設定した機器は、前記予め設定した識別子を有するネットワーク機器を含み、
前記予め設定したトリガ条件が検出されると、予め設定した機器との接続を構築するステップは、
現在ネットワーク中のネットワーク機器を検出するステップと、
予め設定した識別子を有するネットワーク機器が検出されると、前記予め設定した識別子に対応する予め設定したパスワードに基づいて、前記予め設定した識別子を有するネットワーク機器に接続して、前記予め設定した識別子を有するネットワーク機器との接続を構築するステップとを含む。
【００１０】
本発明の実施例が提供する構成の有益な効果は以下のとおりである。予め設定したトリガ条件が、予め設定した識別子を有するネットワーク機器を検出されたことであると、現在ネットワークのネットワーク機器を、被検査機器により自動的に検出できるため、テスターによる手動的な検索が要らなくなった。被検査機器をテストする時に、テスターにより被検査機器を予め設定した識別子を有するネットワーク機器のネットワーク環境中に放置することで、被検査機器の自動検査プログラムを起動することができるため、工場出荷する時の被検査機器をテストする効率をさらに高めた。
【００１１】
前記予め設定した機器に自動検査結果を送信するステップは、
自動検査結果に基づいて、検査日誌を生成するステップと、
前記予め設定した機器に前記検査日誌を送信するステップとを含む。
【００１２】
本発明の実施例が提供する構成の有益な効果は以下のとおりである。自動検査結果を検査日誌の形式で予め設定した機器に送信することにより、自動検査結果のデータ伝送が便利になった上で、予め設定した機器の方でのテスターの自動検査結果に対する照会が便利になって、工場出荷する時の被検査機器をテストする効率をさらに高めた。
【００１３】
前記予め設定した機器は、ネットワーク接続用機器を含み、
前記予め設定した機器がネットワーク接続用機器であると、前記予め設定した機器に前記検査日誌を送信するステップは、
前記ネットワーク接続用機器に前記検査日誌を送信し、前記ネットワーク接続用機器が前記検査日誌をテストホストコンピュータに転送するよう指示するステップを含む。
【００１４】
本発明の実施例が提供する構成の有益な効果は以下のとおりである。予め設定した機器がネットワーク接続用機器であると、被検査機器により検査日誌をネットワーク接続用機器を介してテストホストコンピュータに転送することにより、予め設定した機器を介する一つ又は複数のテストホストコンピュータへの検査日誌の転送を実現して、テストホストコンピュータによる被検査機器の検査日誌のデータ収集が便利になって、被検査機器に対するテスト結果の記録がさらに便利になった。
【００１５】
前記予め設定した機器がネットワーク接続用機器であると、前記予め設定した機器との接続を構築した後に、前記方法は、
前記ネットワーク接続用機器にウェークメッセージを送信して、前記ネットワーク接続用機器が前記ウェークメッセージを前記テストホストコンピュータへ転送するように指示することにより、前記テストホストコンピュータが前記ウェークメッセージに基づいて稼動状態になるようにするステップをさらに含み、
前記ネットワーク接続用機器に前記検査日誌を送信し、前記ネットワーク接続用機器が前記検査日誌をテストホストコンピュータに転送するよう指示するステップは、
前記ネットワーク接続用機器にウェークメッセージを送信した後に、前記ネットワーク接続用機器に前記検査日誌を送信し、前記ネットワーク接続用機器が前記検査日誌をテストホストコンピュータに転送するよう指示するステップを含む。
【００１６】
本発明の実施例が提供する構成の有益な効果は以下のとおりである。予め設定した機器と接続した後に、ネットワーク接続用機器にウェークメッセージを送信して、テストホストコンピュータが稼動状態になるようにし、ネットワーク接続用機器にウェークメッセージを送信した後に、ネットワーク接続用機器に検査日誌を送信して、ネットワーク接続用機器を介して検査日誌をテストホストコンピュータに転送する。このようにして、テストホストコンピュータの未稼働状態での休止を実現して、テストホストコンピュータのリソース消費を削減した。また、テストホストコンピュータにより、休止状態においても、ネットワーク接続用機器が転送した検査日誌を速く受信できて、工場出荷する時の被検査機器をテストする効率を高めた。
【００１７】
本発明の実施例に係る第２の態様によると、被検査機器に用いられる端末テスト装置を提供する。
前記装置は、
予め設定したトリガ条件が検出されると、予め設定した機器との接続を構築するための構築モジュールと、
自動検査プログラムを起動して、自動検査結果を取得するための処理モジュールと、
前記予め設定した機器に自動検査結果を送信するための第１送信モジュールとを備える。
【００１８】
前記構築モジュールは、
予め設定した入力操作情報が検出されると、予め設定した識別子及びパスワードに基づいて予め設定した機器との接続を構築するための第１構築サブモジュールを備える。
【００１９】
前記予め設定したトリガ条件が検出されたことは、予め設定した識別子を有するネットワーク機器が検出されたことを含み、
前記予め設定した機器は、前記予め設定した識別子を有するネットワーク機器を含み、
前記構築モジュールは、
現在ネットワーク中のネットワーク機器を検出するための検出サブモジュールと、
予め設定した識別子を有するネットワーク機器が検出されると、前記予め設定した識別子に対応する予め設定したパスワードに基づいて、前記予め設定した識別子を有するネットワーク機器に接続して、前記予め設定した識別子を有するネットワーク機器との接続を構築するための第２構築サブモジュールとを備える。
【００２０】
前記第１送信モジュールは、
自動検査結果に基づいて、検査日誌を生成するための生成サブモジュールと、
前記予め設定した機器に前記検査日誌を送信するための第１送信サブモジュールとを備える。
【００２１】
前記予め設定した機器は、ネットワーク接続用機器を含み、
前記予め設定した機器がネットワーク接続用機器であると、前記第１送信モジュールは、
前記ネットワーク接続用機器に前記検査日誌を送信し、前記ネットワーク接続用機器が前記検査日誌をテストホストコンピュータに転送するよう指示するための第２送信サブモジュールを備える。
【００２２】
前記装置は、
前記ネットワーク接続用機器にウェークメッセージを送信して、前記ネットワーク接続用機器が前記ウェークメッセージを前記テストホストコンピュータへ転送するように指示することにより、前記テストホストコンピュータが前記ウェークメッセージに基づいて稼動状態になるようにするための第２送信モジュールをさらに備え、
前記第２送信サブモジュールは、さらに、前記ネットワーク接続用機器にウェークメッセージを送信した後に、前記ネットワーク接続用機器に前記検査日誌を送信し、前記ネットワーク接続用機器が前記検査日誌をテストホストコンピュータに転送するよう指示する。
【００２３】
本発明の実施例に係る第３の態様によると、被検査機器に用いられる端末テスト装置を提供する。
当該装置は、
プロセッサと、
前記プロセッサが実行可能な命令を記憶するためのメモリと
を備え、
前記プロセッサは、
予め設定したトリガ条件が検出されると、予め設定した機器との接続を構築し、
自動検査プログラムを起動して、自動検査結果を取得し、
前記予め設定した機器に自動検査結果を送信するように構成される。
本発明の実施例の第４の態様によると、プログラムを提供し、当該プログラムは、プロセッサに実行されることにより、上記の被検査機器に用いられる端末テスト装置を実現する。
本発明の実施例の第５の態様によると、記録媒体を提供し、当該記録媒体には、上記プログラムが記録されている。
【００２４】
以上の統括な記述と以下の細部記述は、ただ例示的なものであり、本発明を制限するものではないと、理解するべきである。
【図面の簡単な説明】
【００２５】
ここでの図面は、明細書に合併されて本明細書の一部を構成して本発明に合致する実施例を示し、明細書とともに本発明の原理の説明するに用いられる。
【００２６】
【図１】例示的な一実施例に係る端末テスト方法を示すフローチャートである。
【図２】例示的な一実施例に係る端末テスト方法を示す詳細なフローチャートである。
【図３】例示的な一実施例に係る端末テスト方法を示す詳細なフローチャートである。
【図４】例示的な一実施例に係る端末テスト方法を示す詳細なフローチャートである。
【図５】例示的な一実施例に係る端末テスト装置を示すブロック図である。
【図６】例示的な一実施例に係る端末テスト装置の構築モジュールを示すブロック図である
【図７】例示的な一実施例に係る端末テスト装置の構築モジュールを示すブロック図である。
【図８】例示的な一実施例に係る端末テスト装置の第１送信モジュールを示すブロック図である。
【図９】例示的な一実施例に係る端末テスト装置の第１送信モジュールを示すブロック図である。
【図１０】例示的な一実施例に係る端末テスト装置を示すブロック図である。
【図１１】例示的な一実施例に係る端末テスト装置を示すブロック図である。
【発明を実施するための形態】
【００２７】
ここで、例示的な実施例を詳細に説明する。また、説明中の例は、図面に示している。以下の記述において、図面を説明する際に特に説明しない場合、異なる図面中の同一の符号は、同一或は同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００２８】
コンピュータ技術及び無線通信技術の発展に伴い、電子機器に無線通信モジュールを幅広く利用している。例えば、スマートフォン、タブレットＰＣ、等は、すべて、無線通信の機能を有する。無線通信技術は、スマート端末、スマートホーム、等の分野に、幅広く応用されている。また、電子機器を工場出荷する時に、テスターは、工場出荷しようとする電子機器に対してハードウェア及びソフトウェアのテストを行うことにより、電子機器の正常な使用を保証する。電子機器を、本発明の実施例中の被検査機器とする。
【００２９】
関連技術において、テスターにより被検査機器毎に自動検査プログラムをそれぞれ手動的に起動して、被検査機器の自動検査が完了した後に、テスターにより自動検査結果をテストホストコンピュータに手動的に送信しなければならない。もし、１０個の被検査機器を自動検査しようとすると、テスターにより１０回に相当する操作を行う必要があるため、大量の時間がかかる。さらに、被検査機器を工場出荷する際の実際の数は、１０よりもはるかに大きいため、テスターは、大量の時間をかけて、自動検査プログラムを起動して、また、自動検査結果を送信した後に、さらに、テストホストコンピュータが受信した各々の自動検査結果に対して処理を行う必要がある。このため、被検査機器の工場出荷する時の検査効率が低い。
【００３０】
本発明の実施例は、端末テスト方法を提供する。当該方法によると、予め設定したトリガ条件に基づいて、予め設定した機器との接続を構築し、予め設定した機器と接続した後に、自動検査プログラムを起動して、自動検査結果を予め設定した機器に送信する。被検査機器を工場出荷する時に、被検査機器の自動検査プログラムを起動させる必要がある。従来に、自動検査プログラムを起動させる過程においては、テスターにより各々の被検査機器をそれぞれ手動的に起動しなければならないし、テスターにより大量の操作を行う必要がある。予め設定したトリガ条件を満たすと、被検査機器の自動検査プログラムを起動させることにより、被検査機器の自動検査プログラムの同時の起動が実現できて、工場出荷する時の被検査機器をテストする効率を高めた上で、被検査機器により同時に自動検査結果を予め設定した機器に送信することにより、被検査機器に対するテスト結果の記録が便利になった。
【００３１】
図１は、例示的な一実施例に係る端末テスト方法を示すフローチャートである、図１に示したように、端末テスト方法は、被検査機器に用いられる。当該方法は、以下のステップを含む。
【００３２】
ステップＳ１０１において、予め設定したトリガ条件が検出されると、予め設定した機器との接続を構築する。ここで、予め設定した機器と接続する方法には、ｗｉｆｉ（Ｗｉｒｅｌｅｓｓ  Ｆｉｄｅｌｉｔｙ）接続の方法、ブルートゥース（ｂｌｕｅｔｏｏｔｈ）接続の方法、及び、ＮＦＣ（Ｎｅａｒ  Ｆｉｅｌｄ  Ｃｏｍｍｕｎｉｃａｔｉｏｎ）接続の方法が含まれる。上記の三種類の接続方法によって予め設定した機器と接続する場合、上記の三種類の接続方法によって予め設定した機器に自動検査結果を伝送できるほか、上記の三種類の接続方法の機能モジュールが正常に稼動できるか否かも検査できる。これも自動検査の一部である。自動検査プログラムの中の上記の三種類の接続方法の機能モジュールの検査を削減できて、さらに、工場出荷する時の被検査機器をテストする効率を高めた。
【００３３】
ステップＳ１０２において、自動検査プログラムを起動して、自動検査結果を取得する。
【００３４】
ステップＳ１０３において、予め設定した機器に自動検査結果を送信する。
【００３５】
本発明の実施例は、端末テスト方法を提供した。当該方法によると、予め設定したトリガ条件に基づいて、予め設定した機器との接続を構築し、予め設定した機器と接続した後に、自動検査プログラムを起動して、自動検査結果を予め設定した機器に送信する。被検査機器を工場出荷する時に、被検査機器の自動検査プログラムを起動させる必要がある。従来に、自動検査プログラムを起動させる過程においては、テスターにより各々の被検査機器をそれぞれ手動的に起動しなければならないし、テスターにより大量の操作を行う必要がある。予め設定したトリガ条件を満たすと、被検査機器の自動検査プログラムを起動させることにより、被検査機器の自動検査プログラムの同時の起動が実現できて、工場出荷する時の被検査機器をテストする効率を高めた上で、被検査機器により同時に自動検査結果を予め設定した機器に送信することにより、被検査機器に対するテスト結果の記録が便利になった。
【００３６】
一実施例において、予め設定した入力操作情報が検出されると、予め設定した識別子及びパスワードに基づいて予め設定した機器との接続を構築することにより、ステップＳ１０１を実施してもよい。
【００３７】
一例として、予め設定した識別子が、ＳＳＩＤ（Ｓｅｒｖｉｃｅ  Ｓｅｔ  Ｉｄｅｎｔｉｆｉｅｒ）、或いは、ＭＡＣアドレス（Ｍｅｄｉａ  Ａｃｃｅｓｓ  Ｃｏｎｔｒｏｌアドレス）等の、予め設定した機器のハードウェア識別子であるとする。各々の予め設定した機器は、互いに異なるハードウェア識別子を有するため、予め設定した機器のハードウェア識別子を予め設定した識別子とすると、予め設定した機器を精度よく特定できる。
【００３８】
上記の方法を採用すると、予め設定した入力操作情報が検出されると、予め設定した識別子及びパスワードに基づいて予め設定した機器と接続する。予め設定した入力操作情報を予め設定したトリガ条件にすることにより、テスターの操作が便利になって、工場出荷する時の被検査機器をテストする効率を高めた。
【００３９】
一実施例において、予め設定したトリガ条件が検出されたことは、予め設定した識別子を有するネットワーク機器が検出されたことを含み、予め設定した機器は、予め設定した識別子を有するネットワーク機器を含む。ステップＳ１０１は、さらに、ステップＡ１−ステップＡ２によって実施されてもよい。
【００４０】
ステップＡ１において、現在ネットワーク中のネットワーク機器を検出する。
【００４１】
ステップＡ２において、予め設定した識別子を有するネットワーク機器が検出されると、予め設定した識別子に対応する予め設定したパスワードに基づいて、予め設定した識別子を有するネットワーク機器と接続して、予め設定した識別子を有するネットワーク機器との接続を構築する。
【００４２】
一例として、被検査機器は、例えば、携帯電話、タブレットＰＣ、スマートホーム機器、等のような、ｗｉｆｉ（Ｗｉｒｅｌｅｓｓ  Ｆｉｄｅｌｉｔｙ）機能を有する電子機器であり、現在環境中のネットワーク機器を自動的に検出するのは、当該被検査機器の基本的な機能である。被検査機器は、環境中のネットワーク機器をリアルタイムに検出し、環境中に予め設定した識別子を有するネットワーク機器が存在すると、当該ネットワーク機器との接続を構築し、さらに、自動検査プログラムを起動する。
【００４３】
上記の方法を採用すると、予め設定したトリガ条件が、予め設定した識別子を有するネットワーク機器を検出されたことであると、現在ネットワークのネットワーク機器を、被検査機器により自動的に検出できるため、テスターによる手動的な検索が要らなくなった。被検査機器をテストする時に、テスターにより被検査機器を予め設定した識別子を有するネットワーク機器のネットワーク環境中に放置することで、被検査機器の自動検査プログラムを起動することができるため、工場出荷する時の被検査機器をテストする効率をさらに高めた。
【００４４】
一実施例において、ステップＳ１０３は、ステップＢ１−ステップＢ２によって実施されてもよい。
【００４５】
ステップＢ１において、自動検査結果に基づいて、検査日誌を生成する。
【００４６】
ステップＢ２において、予め設定した機器に検査日誌を送信する。
【００４７】
上記の方法を採用すると、自動検査結果を検査日誌の形式で予め設定した機器に送信することにより、自動検査結果のデータ伝送が便利になった上で、予め設定した機器の方でのテスターの自動検査結果に対する照会が便利になって、工場出荷する時の被検査機器をテストする効率をさらに高めた。
【００４８】
一実施例において、予め設定した機器は、ネットワーク接続用機器を含み、当予め設定した機器がネットワーク接続用機器であると、ステップＢ２は、ステップＣ１によって実施されてもよい。ステップＣ１において、ネットワーク接続用機器に検査日誌を送信し、ネットワーク接続用機器が当該検査日誌をテストホストコンピュータに転送するよう指示する。ここで、ネットワーク接続用機器は、例えば、電子機器をネットワークに接続させるための機器である。
【００４９】
一例として、予め設定した機器は、ネットワーク接続用機器及びテストホストコンピュータを含む。即ち、被検査機器は、テストホストコンピュータと直接に接続されていてもよいし、ネットワーク接続用機器を介してテストホストコンピュータと接続されていてもよい。予め設定した機器がテストホストコンピュータである場合、ステップＢ２は、さらに、テストホストコンピュータに検査日誌を送信することにより、実施されてもよい。しかし、テストホストコンピュータが唯一な一つのテスト機器ではない可能性もあり、複数のテストホストコンピュータが存在する場合もある。少なくとも二つのテストホストコンピュータが存在する場合、被検査機器によりテストホストコンピュータに検査日誌を送信する際に、検査日誌のデータを少なくとも二回送信するか、或いは、その中の一つのテストホストコンピュータのみに検査日誌を一回送信する必要がある。しかし、上記の二種の方法の中のいずれかを採用しても、検査日誌を送信する送信効率を保証する同時に、テストホストコンピュータの記録効率を保証できない。
【００５０】
上記の方法を採用すると、予め設定した機器がネットワーク接続用機器であると、被検査機器により検査日誌をネットワーク接続用機器を介してテストホストコンピュータに転送することにより、予め設定した機器を介する一つ又は複数のテストホストコンピュータへの検査日誌の転送を実現して、テストホストコンピュータによる被検査機器の検査日誌のデータ収集が便利になって、被検査機器に対するテスト結果の記録がさらに便利になった。
【００５１】
一実施例において、予め設定した機器がネットワーク接続用機器であると、ステップＳ１０１の後に、当該方法は、ステップＤ１をさらに含む。ステップＤ１において、ネットワーク接続用機器にウェークメッセージを送信して、ネットワーク接続用機器がウェークメッセージをテストホストコンピュータに転送するよう指示して、テストホストコンピュータがウェークメッセージに基づいて稼動状態になるようにする。
【００５２】
ステップＣ１は、さらに、ネットワーク接続用機器にウェークメッセージを送信した後に、ネットワーク接続用機器に検査日誌を送信し、ネットワーク接続用機器が当該検査日誌をテストホストコンピュータに転送するよう指示することにより、実施されてもよい。
【００５３】
上記の方法を採用すると、予め設定した機器と接続した後に、ネットワーク接続用機器にウェークメッセージを送信して、テストホストコンピュータが稼動状態になるようにし、ネットワーク接続用機器にウェークメッセージを送信した後に、ネットワーク接続用機器に検査日誌を送信して、ネットワーク接続用機器を介して検査日誌をテストホストコンピュータに転送する。このようにして、テストホストコンピュータの未稼働状態での休止を実現して、テストホストコンピュータのリソース消費を削減した。また、テストホストコンピュータにより、休止状態においても、ネットワーク接続用機器が転送した検査日誌を速く受信できて、工場出荷する時の被検査機器をテストする効率を高めた。
【００５４】
以下、詳しい実施例によって、本発明によって提供する方法を説明する。
【００５５】
図２に示したように、本発明の実施例は、端末テスト方法を提供する。ここで、予め設定した機器は、テストホストコンピュータである。当該方法は、具体的に、以下のステップを含む。
【００５６】
ステップＳ２０１において、現在ネットワーク中のネットワーク機器を検出する。
【００５７】
現在ネットワーク中のユーザ名が「テスト機器」であるネットワーク機器を検出する。
【００５８】
ステップＳ２０２において、予め設定した識別子を有するネットワーク機器が検出されると、予め設定した識別子に対応する予め設定したパスワードに基づいて、予め設定した識別子を有するネットワーク機器と接続して、予め設定した識別子を有するネットワーク機器との接続を構築する。
【００５９】
予め設定した識別子が「テスト機器」であると、ネットワーク中のネットワーク機器のユーザ名と予め設定したユーザが同一であるため、予め設定した識別子に対応する予め設定したパスワードに基づいて、ユーザ名が「テスト機器」であるネットワーク機器との接続を構築する。
【００６０】
ステップＳ２０３において、自動検査プログラムを起動して、自動検査結果を取得する。
【００６１】
被検査機器は、ユーザ名が「テスト機器」であるネットワーク機器との接続を構築した後、ローカルの自動検査プログラムを起動して、自動検査結果を得る。
【００６２】
ステップＳ２０４において、自動検査結果に基づいて、検査日誌を生成する。
【００６３】
ステップＳ２０５において、予め設定した機器に検査日誌を送信する。
【００６４】
本発明の実施例は、端末テスト方法を提供した。当該方法によると、予め設定したトリガ条件が、予め設定した識別子を有するネットワーク機器を検出されたことであると、現在ネットワークのネットワーク機器を、被検査機器により自動的に検出できるため、テスターによる手動的な検索が要らなくなった。被検査機器をテストする時に、テスターにより被検査機器を予め設定した識別子を有するネットワーク機器のネットワーク環境中に放置することで、被検査機器の自動検査プログラムを起動することができるため、工場出荷する時の被検査機器をテストする効率をさらに高めた。また、ネットワーク中に一つのネットワーク機器しか存在しないことは、この時の被検査機器がテスト場所に放置されたことを意味するため、テスト場所以外の場所に予め設定した識別子と同一なユーザ名を有するネットワーク機器が存在することにより被検査機器が自動検査プログラムを起動する問題を避けた。さらに、自動検査結果を検査日誌の形式で予め設定した機器に送信することにより、自動検査結果のデータ伝送が便利になった上で、予め設定した機器の方でのテスターの自動検査結果に対する照会が便利になって、工場出荷する時の被検査機器をテストする効率をさらに高めた。
【００６５】
図３に示したように、本発明の実施例は、端末テスト方法を提供する。ここで、予め設定した機器は、ネットワーク接続用機器である。即ち、予め設定した機器がルータである場合、具体的に、以下のステップを含む。
【００６６】
ステップＳ３０１において、現在ネットワーク中のネットワーク機器を検出する。
【００６７】
現在ネットワーク中のユーザ名が「テスト機器」であるルータを検出する。
【００６８】
ステップＳ３０２において、予め設定した識別子を有するネットワーク機器が検出されると、予め設定した識別子に対応する予め設定したパスワードに基づいて、予め設定した識別子を有するネットワーク機器と接続して、予め設定した識別子を有するネットワーク機器との接続を構築する。
【００６９】
予め設定した識別子が「テスト機器」であると、ネットワーク中のルータのユーザ名と予め設定したユーザとが同一であるため、予め設定した識別子に対応する予め設定したパスワードに基づいて、ユーザ名が「テスト機器」であるルータ機器との接続を構築する。
【００７０】
ステップＳ３０３において、ネットワーク接続用機器にウェークメッセージを送信して、ネットワーク接続用機器がウェークメッセージをテストホストコンピュータに転送するよう指示して、テストホストコンピュータがウェークメッセージに基づいて稼動状態になるようにする。
【００７１】
ユーザ名が「テスト機器」であるルータにウェークメッセージを送信する。テストホストコンピュータは、未稼動状態にある時に、休止状態にある。このようにすると、テストホストコンピュータの消費電力を削減できる同時に、テストホストコンピュータの長い期間にかける稼動による実用寿命の影響を削減できる。このため、ルータとの接続を構築した後に、ルータを介してテストホストコンピュータにウェークメッセージを送信して、ウェークメッセージによってテストホストコンピュータが休止状態から稼動状態になるようにする。
【００７２】
ステップＳ３０４において、自動検査プログラムを起動して、自動検査結果を取得する。
【００７３】
ステップＳ３０５において、自動検査結果に基づいて、検査日誌を生成する。
【００７４】
ステップＳ３０６において、ネットワーク接続用機器に検査日誌を送信し、ネットワーク接続用機器が当該検査日誌をテストホストコンピュータに転送するよう指示する。
【００７５】
本発明の実施例は、端末テスト方法を提供した。当該方法によると、予め設定した機器がネットワーク接続用機器であると、被検査機器により検査日誌をネットワーク接続用機器を介してテストホストコンピュータに転送することにより、予め設定した機器を介する一つ又は複数のテストホストコンピュータへの検査日誌の転送を実現して、テストホストコンピュータによる被検査機器の検査日誌のデータ収集が便利になって、被検査機器に対するテスト結果の記録がさらに便利になった。ネットワーク接続用機器と接続した後に、ネットワーク接続用機器にウェークメッセージを送信して、予め設定したネットワーク接続用機器を介してウェークメッセージをテストホストコンピュータを転送して、テストホストコンピュータが稼動状態になるようにし、ネットワーク接続用機器にウェークメッセージを送信した後に、ネットワーク接続用機器に検査日誌を送信して、ネットワーク接続用機器を介して検査日誌をテストホストコンピュータに転送する。このようにして、テストホストコンピュータの未稼働状態での休止を実現して、テストホストコンピュータのリソース消費を削減した。また、テストホストコンピュータにより、休止状態においても、ネットワーク接続用機器が転送した検査日誌を速く受信できて、工場出荷する時の被検査機器をテストする効率を高めた。
【００７６】
本発明の実施例によって提供する端末テスト方法は、上記の二種の構成によって実現するほか、以下の構成によって被検査機器と予め設定した機器との接続を実現してもよい。
【００７７】
図４に示したように、本発明の実施例は、端末テスト方法を提供する。当該方法は、具体的に以下のステップを含む。
【００７８】
ステップＳ４０１において、予め設定した入力操作情報を検出する。
【００７９】
予め設定した入力操作は、テスターにより、機器上の特定のボタンの組合せを押下する操作であってもよいし、機器のキーボードを介する特定の入力操作であってもよい。当該予め設定した入力操作は、ユーザ或いは他の人がよく使用しない操作であればよい。
【００８０】
ステップＳ４０２において、予め設定した入力操作情報が検出されると、予め設定した識別子及びパスワードに基づいて、予め設定した機器との接続を構築する。
【００８１】
被検査機器を製造する時に、被検査機器に識別子及びパスワードを予め設定する。当該予め設定した識別子は、予め設定した機器のハードウェア識別子である。被検査機器は、予め設定した入力操作情報が検出されると、当該予め設定した識別子に対応する予め設定した機器と接続し、接続した後に自動検査を行い、また、自動検査結果を予め設定した機器に送信する。
【００８２】
本発明の実施例は、端末テスト方法の中の予め設定した機器と接続する方法を提供した。予め設定した入力操作情報が検出されると、予め設定した識別子及びパスワードに基づいて予め設定した機器と接続する。予め設定した入力操作情報を予め設定したトリガ条件にすることにより、テスターの操作が便利になって、工場出荷する時の被検査機器をテストする効率を高めた。
【００８３】
以下は、本発明の装置の実施例であり、本発明の方法の実施例を実行することができる。
【００８４】
図５は、例示的な一実施例に係る端末テスト装置を示すブロック図である。当該装置は、ソフトウェア、ハードウェア、或いは、両者の組み合わせによって、電子機器の一部、或いは、全部を実現できる。図５に示したように、被検査機器に用いられる当該端末テスト装置は、構築モジュール５１、処理モジュール５２、及び、第１送信モジュール５３を備える。
【００８５】
構築モジュール５１は、予め設定したトリガ条件が検出されると、予め設定した機器との接続を構築する。
【００８６】
処理モジュール５２は、自動検査プログラムを起動して、自動検査結果を取得する。
【００８７】
第１送信モジュール５３は、予め設定した機器に自動検査結果を送信する。
【００８８】
図６に示したように、構築モジュール５１は、第１構築サブモジュール６１を備える。
【００８９】
第１構築サブモジュール６１は、予め設定した入力操作情報が検出されると、予め設定した識別子及びパスワードに基づいて予め設定した機器との接続を構築する。
【００９０】
図７に示したように、予め設定したトリガ条件が検出されたことは、予め設定した識別子を有するネットワーク機器が検出されたことを含む。
【００９１】
予め設定した機器は、予め設定した識別子を有するネットワーク機器を含む。
【００９２】
構築モジュール５１は、検出サブモジュール７１及び第２構築サブモジュール７２を備える。
【００９３】
検出サブモジュール７１は、現在ネットワーク中のネットワーク機器を検出する。
【００９４】
第２構築サブモジュール７２は、予め設定した識別子を有するネットワーク機器が検出されると、予め設定した識別子に対応する予め設定したパスワードに基づいて、予め設定した識別子有するネットワーク機器と接続して、予め設定した機器との接続を構築する。
【００９５】
図８に示したように、第１送信モジュール５３は、生成サブモジュール８１及び第１送信サブモジュール８２を備える。
【００９６】
生成サブモジュール８１は、自動検査結果に基づいて、検査日誌を生成する。
【００９７】
第１送信サブモジュール８２は、予め設定した機器に検査日誌を送信する。
【００９８】
図９に示したように、予め設定した機器は、ネットワーク接続用機器を含む。
【００９９】
予め設定した機器がネットワーク接続用機器であると、第１送信モジュール５３は、第２送信サブモジュール９１を備える。
【０１００】
第２送信サブモジュール９１は、ネットワーク接続用機器に検査日誌を送信し、ネットワーク接続用機器が当該検査日誌をテストホストコンピュータに転送するよう指示する。
【０１０１】
図１０に示したように、当該装置は、第２送信モジュール１０１をさらに備える。
【０１０２】
第２送信モジュール１０１は、ネットワーク接続用機器にウェークメッセージを送信して、ネットワーク接続用機器がウェークメッセージをテストホストコンピュータに転送するよう指示して、テストホストコンピュータがウェークメッセージに基づいて稼動状態になるようにする。
【０１０３】
第２送信サブモジュール９１は、さらに、ネットワーク接続用機器にウェークメッセージを送信した後に、ネットワーク接続用機器に検査日誌を送信し、ネットワーク接続用機器が当該検査日誌をテストホストコンピュータに転送するよう指示する。
【０１０４】
もう一実施例の端末テスト装置は、
プロセッサと、
前記プロセッサが実行可能な命令を記憶するためのメモリと
を備え、
ここで、プロセッサは、
予め設定したトリガ条件が検出されると、予め設定した機器との接続を構築し、
自動検査プログラムを起動して、自動検査結果を取得し、
予め設定した機器に自動検査結果を送信するように構成される。
【０１０５】
上記のプロセッサは、さらに、予め設定したトリガ条件が検出されると、予め設定した機器との接続を構築する、包括：予め設定した入力操作情報が検出されると、予め設定した識別子及びパスワードに基づいて予め設定した機器との接続を構築するように構成される。
【０１０６】
上記のプロセッサは、さらに、
予め設定したトリガ条件が検出されたことが、予め設定した識別子を有するネットワーク機器が検出されたことを含み、
予め設定した機器が、予め設定した識別子を有するネットワーク機器を含む場合、
予め設定したトリガ条件が検出されると、予め設定した機器との接続を構築する時に、
現在ネットワーク中のネットワーク機器を検出し、
予め設定した識別子を有するネットワーク機器が検出されると、予め設定した識別子に対応する予め設定したパスワードに基づいて、予め設定した識別子を有するネットワーク機器と接続して、予め設定した識別子を有するネットワーク機器との接続を構築するように構成される。
【０１０７】
上記のプロセッサは、さらに、
予め設定した機器に自動検査結果を送信する時に、
自動検査結果に基づいて、検査日誌を生成し、
予め設定した機器に検査日誌を送信するように構成される。
【０１０８】
上記のプロセッサは、さらに、
予め設定した機器が、ネットワーク接続用機器を含み、
当予め設定した機器がネットワーク接続用機器であると、予め設定した機器に検査日誌を送信する時に、
ネットワーク接続用機器に検査日誌を送信し、ネットワーク接続用機器が当該検査日誌をテストホストコンピュータに転送するよう指示するように構成される。
【０１０９】
上記のプロセッサは、さらに、
当予め設定した機器がネットワーク接続用機器であると、予め設定した機器との接続を構築した後に、
ネットワーク接続用機器にウェークメッセージを送信して、ネットワーク接続用機器がウェークメッセージをテストホストコンピュータに転送するよう指示して、テストホストコンピュータがウェークメッセージに基づいて稼動状態になるようにし、
ネットワーク接続用機器に検査日誌を送信し、ネットワーク接続用機器が当該検査日誌をテストホストコンピュータに転送するよう指示する時に、
ネットワーク接続用機器にウェークメッセージを送信した後に、ネットワーク接続用機器に検査日誌を送信し、ネットワーク接続用機器が当該検査日誌をテストホストコンピュータに転送するよう指示するように構成される。
【０１１０】
上記の実施例の装置について、その各モジュールが実行する操作の具体的な形態は既に当該方法に関する実施例において詳細に説明したため、ここでは詳細に説明しない。
【０１１１】
図１１は、例示的な一実施例に係る端末テスト装置を示すブロック図である。当該装置は、端末機器に用いられる。例えば、装置１１００は、携帯電話、コンピューター、デジタル放送端末、メッセージ送受信デバイス、ゲームコンソール、タブレットデバイス、医療機器、フィットネス機器、パーソナルデジタルアシスタント（ＰＤＡ）等であってもよい。
【０１１２】
図１１を参照して、装置１１００は、プロセスアセンブリ１１０２、メモリ１１０４、電源アセンブリ１１０６、マルチメディアアセンブリ１１０８、オーディオアセンブリ１１１０、入出力（Ｉ／Ｏ）インターフェイス１１１２、センサアセンブリ１１１４、及び通信アセンブリ１１１６のような一つ以上のアセンブリを含んでよい。
【０１１３】
プロセスアセンブリ１１０２は、一般的には装置１１００の全体の移動を制御するものであり、例えば、表示、電話呼び出し、データ通信、カメラ移動、及び記録移動と関連する移動を制御する。プロセスアセンブリ１１０２は、一つ以上のプロセッサ１１２０を含み、これらによって命令を実行することにより、上記の方法の全部、或は一部のステップを実現するようにしてもよい。なお、プロセスアセンブリ１１０２は、一つ以上のモジュールを含み、これらによってプロセスアセンブリ１１０２と他のアセンブリの間のインタラクションを容易にするようにしてもよい。例えば、プロセスアセンブリ１１０２は、マルチメディアモジュールを含み、これらによってマルチメディアアセンブリ１１０８とプロセスアセンブリ１１０２の間のインタラクションを容易にするようにしてもよい。
【０１１４】
メモリ１１０４は、各種類のデータを記憶することにより装置１１００の移動を支援するように構成される。これらのデータの例は、装置１１００において移動するいずれのアプリケーションプログラム又は方法の命令、連絡対象データ、電話帳データ、メッセージ、画像、ビデオ等を含む。メモリ１１０４は、いずれの種類の揮発性メモリ、不揮発性メモリ記憶デバイスまたはそれらの組み合わせによって実現されてもよく、例えば、ＳＲＡＭ（ＳｔａｔｉｃＲａｎｄｏｍＡｃｃｅｓｓＭｅｍｏｒｙ）ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（  Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【０１１５】
電源アセンブリ１１０６は、装置１１００の多様なアセンブリに電力を供給する。電源アセンブリ１１０６は、電源管理システム、一つ以上の電源、及び装置１１００のための電力の生成、管理及び割り当てに関連付けられている他のアセンブリを含んでもよい。
【０１１６】
マルチメディアアセンブリ１１０８は、前記装置１１００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スワイプ、及びタッチパネル上のジェスチャを検出することができる。前記タッチセンサは、タッチ、或はスワイプの移動の境界だけでなく、前記のタッチ、或はスワイプ操作に係る継続時間及び圧力も検出できる。上記の実施例において、マルチメディアアセンブリ１１０８は、一つのフロントカメラ、及び／又はリアカメラを含む。装置１１００が、例えば撮影モード、或はビデオモード等の移動モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１１７】
オーディオアセンブリ１１１０は、オーディオ信号を入出力するように構成されてもよい。例えば、オーディオアセンブリ１１１０は、一つのマイク（ＭＩＣ）を含み、装置１１００が、例えば呼出しモード、記録モード、及び音声認識モード等の移動モードにある場合、マイクは外部のオーディオ信号を受信することができる。受信されたオーディオ信号は、さらにメモリ１１０４に記憶されたり、通信アセンブリ１１１６を介して送信されたりされる。上記の実施例において、オーディオアセンブリ１１１０は、オーディオ信号を出力するための一つのスピーカーをさらに含む。
【０１１８】
Ｉ／Ｏインターフェイス１１１２は、プロセスアセンブリ１１０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、作動ボタン、ロッキングボタンを含んでもよいが、これらに限定されない。
【０１１９】
センサアセンブリ１１１４は、装置１１００に各種の状態に対する評価を提供するための一つ以上のセンサを含む。例えば、センサアセンブリ１１１４は、装置１１００のＯＮ／ＯＦＦ状態、装置１１００のディスプレイとキーパッドのようなアセンブリの相対的な位置決めを検出できる。また、例えば、センサアセンブリ１１１４は、装置１１００、或は装置１１００の一つのアセンブリの位置変更、ユーザと装置１１００とが接触しているか否か、装置１１００の方位、又は加速／減速、装置１１００の温度の変化を検出できる。センサアセンブリ１１１４は、何れの物理的接触がない状態にて付近の物体の存在を検出するための近接センサを含んでもよい。センサアセンブリ１１１４は、撮影アプリケーションに適用するため、ＣＭＯＳ、又はＣＣＤ画像センサのような光センサを含んでもよい。上記の実施例において、当該センサアセンブリ１１１４は、加速度センサ、ジャイロスコープセンサ、磁気センサ、圧力センサ、及び温度センサをさらに含んでもよい。
【０１２０】
通信アセンブリ１１１６は、装置１１００と他の機器の間に有線、又は利便性のよい形態の通信を提供する。装置１１００は、例えばＷｉＦｉ（登録商標）、２Ｇ、３Ｇ、或はこれらの組み合わせのような、通信規格に基づいた無線ネットワークに接続されてもよい。一つの例示的な実施例において、通信アセンブリ１１１６は、放送チャンネルを介して外部の放送管理システムからの放送信号、又は放送に関連する情報を受信する。一つの例示的な実施例において、前記通信アセンブリ１１１６は、近距離無線通信（ＮＦＣ）モジュールをさらに含むことにより、近距離通信を可能にする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ（登録商標））技術、他の技術に基づいて実現できる。
【０１２１】
例示的な実施例において、装置１１００は、一つ以上のＡＳＩＣ（ＡｐｐｌｉｃａｔｉｏｎＳｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１２２】
例示的な実施例において、さらに、命令を含むコンピュータ読取り可能な非一時的な記録媒体、例えば命令を含むメモリ１１０４を提供しており、装置１１００のプロセッサ１１２０により上記命令を実行して上記方法を実現する。例えば、前記コンピュータ読取り可能な非一時的な記録媒体は、ＲＯＭ、ＲＡＭ、ＣＤ−ＲＯＭ、磁気テープ、フロッピーディスク（登録商標）、光データ記憶デバイス等である。
【０１２３】
コンピュータ読取り可能な非一時的な記録媒体は、当該記録媒体中の命令が装置１１００のプロセッサによって実行される際に、装置１１００に、上記の端末テスト方法を実行させる。
【０１２４】
当該方法は、
予め設定したトリガ条件が検出されると、予め設定した機器との接続を構築するステップと、
自動検査プログラムを起動して、自動検査結果を取得するステップと、
予め設定した機器に自動検査結果を送信するステップを含む。
【０１２５】
記録媒体は、さらに、
予め設定したトリガ条件が検出されると、予め設定した機器との接続を構築する時に、予め設定した入力操作情報が検出されると、予め設定した識別子及びパスワードに基づいて予め設定した機器との接続を構築するように構成されてもよい。
【０１２６】
記録媒体は、さらに、
予め設定したトリガ条件が検出されたことが、予め設定した識別子を有するネットワーク機器が検出されたことを含み、
予め設定した機器が、予め設定した識別子を有するネットワーク機器を含む場合、
予め設定したトリガ条件が検出されると、予め設定した機器との接続を構築する時に、
現在ネットワーク中のネットワーク機器を検出し、
予め設定した識別子を有するネットワーク機器が検出されると、予め設定した識別子に対応する予め設定したパスワードに基づいて、予め設定した識別子を有するネットワーク機器と接続して、予め設定した識別子を有するネットワーク機器との接続を構築するように構成されてもよい。
【０１２７】
記録媒体は、さらに、
予め設定した機器に自動検査結果を送信する時に、
自動検査結果に基づいて、検査日誌を生成し、
予め設定した機器に検査日誌を送信するように構成されてもよい。
【０１２８】
記録媒体は、さらに、
予め設定した機器が、ネットワーク接続用機器を含み、
当予め設定した機器がネットワーク接続用機器であると、予め設定した機器に検査日誌を送信する時に、
ネットワーク接続用機器に検査日誌を送信し、ネットワーク接続用機器が当該検査日誌をテストホストコンピュータに転送するよう指示するように構成されてもよい。
【０１２９】
記録媒体は、さらに、
当予め設定した機器がネットワーク接続用機器であると、予め設定した機器との接続を構築した後に、
ネットワーク接続用機器にウェークメッセージを送信して、ネットワーク接続用機器がウェークメッセージをテストホストコンピュータに転送するよう指示して、テストホストコンピュータがウェークメッセージに基づいて稼動状態になるようにし、
ネットワーク接続用機器に検査日誌を送信し、ネットワーク接続用機器が当該検査日誌をテストホストコンピュータに転送するよう指示する時に、
ネットワーク接続用機器にウェークメッセージを送信した後に、ネットワーク接続用機器に検査日誌を送信し、ネットワーク接続用機器が当該検査日誌をテストホストコンピュータに転送するよう指示するように構成されてもよい。
【０１３０】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明は公開していない当該技術分野の公知の知識又は通常の技術手段を含む。明細書と実施例はただ例示として考慮され、本発明の本当の範囲と趣旨は以下の特許請求の範囲に記載される。
【０１３１】
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。 
【図１】
0006311078.tif 000002
【図２】
0006311078.tif 000003
【図３】
0006311078.tif 000004
【図４】
0006311078.tif 000005
【図５】
0006311078.tif 000006
【図６】
0006311078.tif 000007
【図７】
0006311078.tif 000008
【図８】
0006311078.tif 000009
【図９】
0006311078.tif 000010
【図１０】
0006311078.tif 000011
【図１１】
0006311078.tif 000012